(57)【要約】      （修正有）【課題】極小のアタリでのハヤアワセ釣法で餌の消耗を少なくし、「餌取り名人」と呼ばれるカワハギを釣るための釣仕掛けを提供する。【解決手段】仕掛けの糸は、張力・柔軟さ・透明度など利点から道糸・幹糸・ハリス糸ともフロロカーボン系の細いものを用いる、仕掛けの構成はハリス長をゼロ近くから数十センチまで簡単に変更可能とするために、幹糸とハリス糸７を弾性体パイプ６の中に通しハリス糸の長さを確保しハリス糸７を幹糸に結節する。ハリス長は弾性体パイプ６をスライドさせ固定ピン５で固定するだけで任意のハリス長が簡単に確保できる。【選択図】図１
2019198308.tif 000002
【特許請求の範囲】
【請求項１】
胴付き仕掛けにおいて幹糸とハリス糸を弾性体パイプの中に通しハリス糸の長さを確保し幹糸に結節し、ハリス針の根元から幹糸とハリス糸の結節点の間を弾性体パイプがスライド出来、スライド可能範囲内の任意の位置で固定ピンを用いて弾性体パイプ・幹糸・ハリス糸を固定した胴付き仕掛け。
【請求項２】
請求項１に記載する、弾性体パイプを固定する固定ピンに水に溶ける固体集魚物質を装着した固定ピン。
【発明の詳細な説明】
【技術分野】
【０００１】胴付き仕掛けのハリス長を任意に可変できる仕掛けに関する。
【背景技術】
【０００２】  魚釣りの胴付き仕掛けのアジ、カワハギなどの対象魚に対する胴付き仕掛けのハリスの長さはハリス糸が幹糸に結節されると決定される。水中・気象・魚の活性などの条件に対応する釣法としてサビキ・タタキ・ユルマセ・ハワセ・ウカセなどある。
釣法に対するハリスの長さの変更は結節に自動ハリス止めタイプを用いても手数・時間を要し各釣法に対してハリスの長さの変更は臨機応変に行えない。【０００３】  カワハギ用仕掛けは多種考案されているが装着品が複雑で重く、幹糸・ハリス糸とも太目を使用している。理由は幹糸とハリス糸との絡みを防ぐ、ハリス糸は針先を上向きで癖をとるため腰の強い太い糸でヘタリを防ぐ、細い幹糸に太いハリス糸を結ぶのは容易でなく、おのずと幹糸も太目になり魚からは視認される、ビーズ方式があるがハリス糸はビーズの中を通る幹糸に直接結節していないためアタリが遅れる。【０００４】  カワハギは「味蕾」という味を感じる器官が口の周りの表面にあり餌を銜え、味を確かめ飲み込むが針の違和感があれば吐き出す、この時、針先がカワハギの口内に掛かり動き回り穂先へのアタリとなり、カワハギが餌の吐き出しに成功すれば今度は視覚を受け持つ「視蓋」により太い糸は見極め、警戒しながら針と餌を見分け安全な部分をついばむので極小のアタリとなり穂先まで伝達しにくく餌を取られる。【０００５】  魚釣り全般的なことであるが、カワハギ釣ではリリースしたりバラしたりすると異常な泳ぎのため他のカワハギが警戒する、同種の餌ばかりではカワハギが学習しついばむだけになる、午後になると光が水中まで差し込むのか餌と針の識別が可能、これらは経験や主観になるがカワハギの特性が背景にあると思う。
【先行技術文献】
【特許文献】
【０００６】
【特許文献１】特許番号第４０９８８２５号（発明の詳細な説明）
【非特許文献】
【０００７】
【非特許文献１】「株式会社  オーナーばり」インターネット  商品検索  カワハギ  カタログ
【非特許文献２】「ＹＡＭＡＳＨＩＴＡ  ＣＯＲＰＯＲＡＴＩＯＮ」  インターネット  ＹＡＭＡＳＨＩＴＡ  製品一覧カタログ
【発明の概要】
【発明が解決しようとする課題】
【０００８】  胴付き仕掛けのハリス糸は長さが固定され、水中・気象・魚の活性などの条件に対応するため、異なったハリスの長さの仕掛けに調整や取替えに時間・手間を要するので釣場での時間の浪費をなくすこと。【０００９】  胴付き仕掛けはシンプルで、アタリからフッキングまでのスピードアップが必要でそのためにハリスの長さはゼロに近づけ幹糸・ハリス糸とも極力、細い糸にすること。【０００１０】  従来のカワハギ釣の胴付き仕掛けを用いた釣法では極小のアタリが穂先まで伝達されにくく針掛かりしたときのアタリで合わせるムコウアワセ釣法で、カワハギが最初に餌を銜えた時の極小のアタリを穂先でキャッチしてハヤアワセ釣法で餌の消耗を防ぐこと。【００１１】  カワハギの味覚・視覚・臭覚・学習能力など仕掛けでカバー出来ない特性を鑑み、濁りや甘味など魚類の特性を利用したコマセなどの集魚物質は、アミエビなど個体そのものや、ペースト状で拡散がはやく広範囲になるため狭い範囲にする。
【課題を解決するための手段】
【００１２】  道糸・幹糸・ハリス糸は細く引っ張り強度があるフロロカーボン系を用いて、図１のような構成にするため弾性体パイプ６に道糸１・ハリス糸７を通し、ハリス糸７の長さを確保し道糸１と結んで結節点３を設け弾性体パイプ６・道糸１・ハリス糸７を固定ピン５でハリス長をゼロに近い位置で固定、釣針を道糸に直接結節したときと同等な形態になり道糸・ハリス糸が細い糸の同種あり容易に製作できる。固定ピンで固定する圧力はハリス糸が道糸と結節点で結んであり、弾性体パイプ・道糸・ハリス糸が水中で移動しない程度、魚が掛ったときは移動しても影響ない、なお、本発明では、「ハリス長」とは、ハリス針の根元から弾性体パイプまでのハリス糸の長さとする。【００１３】  図４示すようなハリス天秤１１を弾性体パイプ６に差し込み天秤穴１２にハリス糸７を通し、幹糸・ハリス糸の絡みを防ぎ、常に針先の上向きを確保し、図２に示すような形態で水中・気象・魚の活性などの条件に適したハリス長を確保する。【００１４】  本来、集魚板はキラキラ光る金属体に類する物体であり餌ではない、すぐカワハギに学習される、集魚板ではなく味覚・嗅覚を刺激するため海水にゆっくり溶ける固体集魚物質が必要。
【発明の効果】
【００１５】  軟らかいハリス糸を使用するのでハリス針の自重で常に針先は上を向いている状態になるが、餌付けのとき針先が上向きになるよう弾性体パイプ６と固定ピン５でハリス糸７・ハリス針８を調整し固定できる。ハリス針はフッキング釣法になるため針先の鋭さが重要で、針の形状・太さ・大小などの影響が少ない。【００１６】  ハリス長をゼロに近い位置で固定出来るため魚の極小のアタリがハリス糸・道糸に伝達されやすくアタリからフッキングまでがスピードアップされるので確実なハヤアワセ釣法が可能【００１７】  釣場の水中・気象・魚の活性などの条件により弾性体パイプ６をスライドさせ固定ピン５で固定するだけで任意のハリス長が簡単に確保できる。【００１８】  幹糸・ハリス糸とも太く腰の強い従来品より柔らかく細い糸で安易に仕掛けを作製でき、予備ハリス針への取替えも弾性体パイプ６へ通し結節点で結節するだけ。
カワハギなどの視認も細い糸のため警戒心も和らげることが可能。【００１９】  固体集魚物質が徐々に海水に溶けコマセの役目となり餌の近くに漂う。
【図面の簡単な説明】
【００２０】
【図１】  ハリス長を弾性体パイプで最短にして固定ピンで固定した概略正面図
【図２】  ハリス長を弾性体パイプで最大にして固定ピンで固定し、ハリス天秤を装着した概略正面図
【図３】  複数の弾性体パイプで複数の胴付き仕掛けにした状態を示す概略正面図
【図４】  ハリス天秤の平面図・正面図を示す
【図５】  固体集魚物質・水切兼用の固定ピンの平面図・正面図を示す
【発明を実施するための形態】
【００２１】  図１はハリス長をゼロに近い位置で弾性体パイプ６に固定ピン５で道糸１・ハリス糸７を固定、道糸に直接釣針を結節した形態と大差ない、ハリス長を数センチに変更するときは弾性体パイプ６を結節点３の方向にスライドさせ固定ピン５で固定する。
【００２２】  図２は弾性体パイプ６にハリス天秤１１を装着しハリス長を最大でハリス糸７を天秤穴１２に針先から通し幹糸４との離隔距離を確保すればハリス針８は幹糸４に絡まない、ハリス糸７が柔軟なためハリス針８は自重で針先が上向きになる形態で道糸１・幹糸４の間にサルカン２を装着。
【００２３】  図４はハリス天秤１１で金属線で手作り出来る。図５は固定ピン５に固体集魚物質と一体化させ、固体集魚物質を板状にしたもので、潮の舵切り・仕掛けの落とし込む時の水切プレートとして幹糸の撚れを防ぐ、固定ピン５は爪楊枝タイプでなく図５の様な任意の板状のものでよい。固体集魚物質を作るには一例としてイカスミ・墨汁と魚類・甲殻類・海藻の各粉末を水飴や蜂蜜で固め、飴ん棒にして飴の部分を板状にし棒の部分が固定ピンとなる。これを本発明では説明上、固体集魚物質１３とする。弾性体パイプ６に装着され海水にゆっくり溶けるためコマセ・濁り効果も出て集魚効果がある。チヌのフカセ釣りでも道糸に固体集魚物質１３を装着し応用できる。
【実施例】
【００２４】  図１は最もシンプルな仕掛け、製作開始の段階から記載すると、穂先からの道糸１に弾性体パイプ６を通す、次に道糸１の末端から胴付き仕掛け全体の長さを目安にした位置に八の字結びで結び目を作り結節点３とし、ハリス糸７も弾性体パイプ６に通しハリス糸７がずり落ちないように、結節点３の穂先側の道糸１に結べば完成、任意のハリス長で弾性体パイプ６と道糸１・ハリス糸７を固定ピン５で固定する。複数針の仕掛けは図３のように作る。ゴムクッション９、錘１０を装着するだけで完成、図１はサルカン２を省略し魚のアタリがより穂先へ伝達可能。八の字結びの理由はハヤアワセ釣法を繰り返すため結節点での道糸の劣化を防ぐ、ゴムクッションも道糸へ負荷を軽減する。カワハギが餌に慣れアタリが少なくなってきたら固体集魚物質１３を用いた固定ピンを図５の飴ん棒タイプへ変更し餌が海底に落ちている状態のハワセ釣法などにする。
【符号の説明】
【００２５】  １    道糸
２    サルカン
３    結節点
４    幹糸
５    固定ピン
６    弾性体パイプ
７    ハリス糸
８    ハリス針
９    ゴムクッション
１０    錘
１１    ハリス天秤
１２    天秤穴
１３    固体集魚物質
【図１】
2019198308.tif 000003
【図２】
2019198308.tif 000004
【図３】
2019198308.tif 000005
【図４】
2019198308.tif 000006
【図５】
2019198308.tif 000007